(57)【要約】【課題】リフトアップ片をパッド及びパッド収納ポケットの構成部材として利用し、高い寄せ上げ効果が得られ、パッドの数を変えることができるブラジャーを提供すること。【解決手段】カップ１の裏面の下部から外側部に亘って伸縮し難いリフトアップ片４を重ね、リフトアップ片４にパッド５を一体に設け、リフトアップ片４の上端をストラップ３に固定し、リフトアップ片４の下側外周をカップ１の周縁に固定し、リフトアップ片４とカップ１裏面との間に、リフトアップ片４の上側外周で開口するパッド収納ポケット７を形成する。【選択図】図１
2008050735.tif 000002
【特許請求の範囲】
【請求項１】
カップの裏面の下部から外側部に亘って伸縮し難いリフトアップ片を重ね、該リフトアップ片にパッドを一体に設け、前記リフトアップ片の上端をストラップに固定し、前記リフトアップ片の下側外周を前記カップの周縁に固定し、前記リフトアップ片とカップ裏面との間に、前記リフトアップ片の上側外周で開口するパッド収納ポケットを形成したことを特徴とするブラジャー。
【請求項２】
前記リフトアップ片の腋寄り上部を除いた部分に前記パッドを設け、前記リフトアップ片の腋寄り上部の厚みをパッド装着部分より薄くしてある請求項１に記載のブラジャー。
【発明の詳細な説明】
【技術分野】
【０００１】
本発明は、ブラジャーに関する。
【背景技術】
【０００２】
ブラジャーの重要な機能として、乳房部を胸部中央寄りの上方へ寄せ上げると共に、豊かに盛り上げる補整機能がある。この補整機能は、通常、カップの下周縁に沿ってワイヤを装着し、カップの腋寄り部分を伸縮し難い素材とし、カップの内面下部にパッドを装着することにより行われる。
しかしながら、乳房部をどの程度のボリュームに補整するかは、好みや体形によって異なり、パッドが固定的に装着されているブラジャーでは、好みの多様性に対応することができなかった。
【０００３】
従来、カップの内面下部に第１ポケットをそれぞれ設け、カップの内面の側方部に第２ポケットをそれぞれ取付け、第１ポケットと第２ポケットとの一方又は双方にパッドを収納できるようにしたブラジャーが公知である（特許文献１参照）。
このブラジャーによれば、好みやバスト形状に応じてパッドの装着位置及び数を変えることができる。
しかし、パッドを支持するポケットは、伸縮性生地を素材とし、ストラップにも連結されていないので、ポケットそのものに乳房部を吊り上げる機能及び補整機能はない。
【０００４】
【特許文献１】実用新案登録第３０８６３７１号公報
【発明の開示】
【発明が解決しようとする課題】
【０００５】
本発明が解決しようとする課題は、乳房部を吊り上げるリフトアップ片を、パッドとして、及び、補助パッドを支持するパッド収納ポケットの構成部材として利用し、高い寄せ上げ効果が得られ、好みに応じてパッドの数を変えることができるブラジャーを提供することにある。
【課題を解決するための手段】
【０００６】
本発明のブラジャーは、カップの裏面の下部から外側部に亘って伸縮し難いリフトアップ片を重ね、該リフトアップ片にパッドを一体に設け、前記リフトアップ片の上端をストラップに固定し、前記リフトアップ片の下側外周を前記カップの周縁に固定し、前記リフトアップ片とカップ裏面との間に、前記リフトアップ片の上側外周で開口するパッド収納ポケットを形成してある。
前記リフトアップ片の腋寄り上部を除いた部分に前記パッドを設け、前記リフトアップ片の腋寄り上部の厚みをパッド装着部分より薄くするのが望ましい。
【発明の効果】
【０００７】
請求項１に係る発明によれば、伸縮し難いリフトアップ片を設けたことにより、乳房部を胸部中央の上方に寄せ上げて美しく補整することができ、しかも、リフトアップ片そのものをボリュームアップのためのパッドとして利用できる。
また、ボリュームアップのためのパッドを設けてあるので、リフトアップ片の幅が広くなり、この結果、リフトアップ片とカップとの間に補助パッドを安定して支持できるパッド収納ポケットが形成され、好みに応じてパッド収納ポケットに補助パッドを収納することにより、いっそう乳房部を大きく見せると共に、押し上げることが可能である。
請求項２に係る発明によれば、乳房部が腋寄りに流れて見える心配が無く、胸部中央に向けて乳房部を寄せる効果が高まる。
【発明を実施するための最良の形態】
【０００８】
以下、本発明の実施例を図面に基づいて詳細に説明する。図１は、ブラジャーの裏面図、図２は、ブラジャーの断面図、図３は、ブラジャーの補助パッド収納状態における断面図である。
本発明のブラジャーは、図１に示すように、左右のカップ１と、カップ１の外側に延びる背部バンド２と、カップ１の上端と背部バンド２の上端間に架設したストラップ３とを備える。
背部バンド２及びストラップ３の構造は、従来のものとほぼ同じなので、詳細な説明は省略する。
【０００９】
カップ１には、図示しないが、従来のものと同様に薄手のパッド部材が内蔵されている。また、カップ１の裏面の下部から外側部に亘ってリフトアップ片４が重ねてある。
リフトアップ片４は、伸縮し難い素材より成り、その腋寄り上部４１を除いた部分にパッド５を一体に設けてある。従って、リフトアップ片４の形状は、従来の細い三日月状のものに比較してやや幅広くなる。
パッド５は、ポリウレタンフォーム、ファイバーフィル、ダブルラッセル布等を素材とし、図２に示すように、リフトアップ片４の裏面に重合すると共に、その裏面に裏布６を被せ、周縁を縫って固定してある。このため、リフトアップ片４の腋寄り上部４１の厚みは、パッド５を装着した部分より薄くなっている。
【００１０】
本実施例では、リフトアップ片４と裏布６とでパッド５を挟んであるが、裏布６を設けず、リフトアップ片４の肌側面或いはカップ側面に直接パッド５を縫い付けてもよいし、リフトアップ片４の肌側面及びカップ側面にそれぞれパッド５を取付けても良い。
また、パッド５を接着、熱溶着等の他の手段によってリフトアップ片４へ取付けてもよいのはもちろんである。
さらに、上記実施例では、略三日月状のリフトアップ片４にパッド５を取付けてあるが、パッド５と腋寄り上部４１とを接合することにより、全体として略三日月状のリフトアップ片４を形成することも可能である。この場合、パッド５は伸縮し難い素材を用いる。
【００１１】
リフトアップ片４は、その上端がストラップ３に固定されると共に、下側外周４ａがカップ１の周縁に縫い込まれている。
図２及び図３に示すように、リフトアップ片４の上側外周はカップ１から分離しており、カップ１とリフトアップ片４との間には、リフトアップ片４の上側外周４ｂで開口するパッド収納ポケット７が形成される。
このパッド収納ポケット７には、好みに応じて補助パッド８を収納することができる。リフトアップ片４の形状はパッド５を装着したため比較的幅広いので、補助パッド８を安定して支持することが可能である。
【００１２】
このブラジャーを装着すると、ストラップ３に固定されたリフトアップ片４が乳房部を下方から吊り上げると共に、パッド５が乳房部にボリュームをもたせる。
また、リフトアップ片４の腋寄り上部４１は、パッド５を装着した他部分よりも薄いので、乳房部の腋寄りが分厚くならず、しかも、乳房部を胸部中央に向けて寄せる効果が高い。
乳房部をさらにボリュームアップしたい場合には、パッド収納ポケット７に補助パッド８を収納し、カップ１の内面下部の嵩を増す。
【００１３】
なお、パッド５は、平らなシート状であっても良いし、乳房形状にあわせて成形したものであっても良い。
また、従来のものと同様に、カップ１の裏面下半部に切れ目を有する布を重ね、この布の内側に、切れ目を通してパッドを着脱自在に収納できる空間を形成することも可能である。
【図面の簡単な説明】
【００１４】
【図１】本発明の実施例を示すブラジャーの裏面図。
【図２】本発明の実施例を示すブラジャーの断面図。
【図３】本発明の実施例を示すブラジャーの補助パッド収納時における断面図。
【符号の説明】
【００１５】
１  カップ
２  背部バンド
３  ストラップ
４  リフトアップ片
４ａ  下側外周
４ｂ  上側外周
４１  腋寄り上部
５  パッド
６  裏布
７  パッド収納ポケット
８  補助パッド
【図１】
2008050735.tif 000003
【図２】
2008050735.tif 000004
【図３】
2008050735.tif 000005